(57)【特許請求の範囲】
【請求項１】
光源（２５）並びに点灯回路部品（２６）を載置しカバー部（１）をねじ止めする複数個の取付台（１０）を載置する丸皿状の本体部（９）を備え、前記カバー部（１）は前記本体部（９）に被せる透光カバー（２）と該透光カバー（２）を表裏より挟持する枠（５）および透光カバー取付板（７）を含み、
前記本体部（９）の外周に円筒状の側壁（１１）を設け、前記カバー部（１）の前記枠（５）の外周に前記本体部（９）の前記側壁（１１）に外接係合する側壁（１８）を設け、前記枠（５）の内側に円筒状の前記透光カバー取付板（７）を配置し、前記透光カバー取付板（７）の側壁に前記本体部（９）の前記取付台（１０）を案内する切欠き（６）を設け、前記取付台（１０）を前記切欠き（６）に嵌合したことを特徴とする直付形照明器具。
【請求項２】
請求項１の直付形照明器具において、カバー部（１）に属する透光カバー（２）は周囲に鍔部を有しかつほぼ半球状を呈し、前記鍔部の外周に垂直立ち上げ部（１５）を設け、枠（５）及び透光カバー取付板（７）は有蓋円筒状を呈し、前記蓋中央に前記透光カバー（２）の半球部が挿通する程度の孔（３）を設け、かつ前記孔（３）の周囲に前記カバー部（１）を前記本体部（９）に取り付けるための取付けねじ孔（１３）を設け、かつ前記枠（５）と前記透光カバー取付板（７）を重ねた際に前記枠（５）の前記取付けねじ用孔（４）と前記透光カバー取付板（７）の前記取付けねじ孔（１３）が一定の間隔を保ち、前記取付けねじ用孔（４）と前記取付けねじ孔（１３）に挿通される取付けねじ（８）が軸方向のみに可動し垂直に保持されるように構成したことを特徴とする直付形照明器具。
【発明の詳細な説明】
【０００１】
【産業上の利用分野】
本発明は直付形照明器具における取り付け機構に関する。
【０００２】
【従来の技術】
従来においては、図５・図６に示すように、器具の本体部９０に複数の取り付けねじ２１が隆起し、カバー部１０に取り付けねじ２１を挿通させるための孔２２を設ける。取り付けの際には、本体部９０の取り付けねじ２１にカバー部１０の孔２２を合わせて被せていた。さらに、カバー部１０を被せた後に、取り付けねじ２１を袋ナット２３で締め付けて取り付ける構造になっていた。
【０００３】
【発明が解決しようとする課題】
上記従来技術は袋ナット２３がフリーとなっていたため、取り付ける際に落下し、また紛失するという要因になっていた。更に、取り付けねじ２１が本体部９０から隆起しているため、輸送中に取り付けねじ２１が曲がり、取り付けのピッチが合わなく、カバー部１０の孔２２とも合わなく取り付かないことがあった。
本発明の目的は取り付け用のナットの紛失防止と位置決めを確実にし、カバー部の取り付けを容易に行うことができるようにすることである。
【０００４】
【課題を解決するための手段】
本発明における直付形照明器具は、光源２５並びに点灯回路部品２６を載置しカバー部１をねじ止めする複数個の取付台１０を載置する丸皿状の本体部９を備える。前記カバー部１は前記本体部９に被せる透光カバー２と該透光カバー２を表裏より挟持する枠５および透光カバー取付板７を含む。前記本体部９の外周に円筒状の側壁１１を設ける。前記カバー部１の前記枠５の外周に前記本体部９の前記側壁１１に外接係合する側壁１８を設ける。前記枠５の内側に円筒状の前記透光カバー取付板７を配置する。前記透光カバー取付板７の側壁に前記本体部９の前記取付台１０を案内する切欠き６を設ける。前記取付台１０を前記切欠き６に嵌合する。
また、カバー部１に属する透光カバー２は周囲に鍔部を有しかつほぼ半球状を呈し、かつ前記鍔部の外周に垂直立ち上げ部１５を設ける。枠５及び透光カバー取付板７は有蓋円筒状を呈し、上部蓋中央に前記透光カバー２の半球部が挿通する程度の孔３を設け、かつ前記孔３の周囲に前記カバー部１を前記本体部９に取り付けるための取付けねじ孔１３を設ける。さらに前記枠５と前記透光カバー取付板７を重ねた際の前記枠５の前記取付けねじ孔１３と前記透光カバー取付板７の前記取付けねじ用孔１３が一定の間隔を保ち、取付けねじ８が軸方向のみに可動し垂直に保持されるように構成する。
【０００５】
【作用】
本体部外周の側壁は、カバー部の側壁に内接係合するため、カバー部を本体部に被せる際に位置が決まる。更に、カバー部内側の透光カバー取付板に本体部の取付台を案内する切欠きがあるので、カバー部を回転して取付台の位置にカバー部側の取付けねじを合わすことができる。
また、取付けねじが軸方向のみ可動し、垂直に保持されるので、取付台のねじ孔に合わすことが容易になる。
【０００６】
【実施例】
図１〜図４の実施例について説明する。図示の直付形照明器具は光源２５並びに点灯回路部品２６を載置しカバー部１をねじ止めする複数個の取付台１０を載置する丸皿状の本体部９を備える。前記カバー部１は前記本体部９に被せる透光カバー２と該透光カバー２を表裏より挟持する枠５および透光カバー取付板７を含む。
前記本体部９の外周に円筒状の側壁１１を設ける。前記カバー部１の前記枠５の外周に前記本体部９の前記側壁１１に外接係合する側壁１８を設ける。前記枠５の内側に円筒状の前記透光カバー取付板７を配置する。前記透光カバー取付板７の側壁に前記本体部９の前記取付台１０を案内する切欠き６を設ける。前記取付台１０を前記切欠き６に嵌合する。
図１〜図４の直付形照明器具について、更に説明する。カバー部１に属する透光カバー２は周囲に鍔部を有しかつほぼ半球状を呈する。前記鍔部の外周に垂直立ち上げ部１５を設ける。枠５及び透光カバー取付板７は有蓋円筒状を呈し、上部蓋中央に前記透光カバー２の半球部が挿通する程度の孔３を設ける。前記孔３の周囲に前記カバー部１を前記本体部９に取り付けるための取付けねじ孔１３を設ける。前記枠５と前記透光カバー取付板７を重ねた際の前記枠５の前記取付けねじ孔１３と前記透光カバー取付板７の前記取付けねじ用孔１３が一定の間隔を保ち、取付けねじ８が軸方向のみに可動し垂直に保持されるように構成する。
枠５は透光カバー２の半球部が挿通する程度の孔３を持ち、該孔３の周囲に取付けねじ用孔４を持つ。透光カバー取付板７は枠５とほぼ類似形であり、その外周側壁にＷの幅の切欠き６を設ける。取付台１０は透光カバー取付板７の切欠き６に嵌り込むように切欠き６の幅Ｗよりも小さい幅ｗとする
本体部９にカバー部１を被せ、取り付ける。カバー部１の取り付けは、カバー部１を本体部９に被せ、本体部９の側壁１１を枠５の側壁１８に内接させ、取付けねじ８と取付台１０の位置を合わせるためにカバー部１を回転させ、切欠き６に取付台１０が嵌り込み、位置決がなされる。位置があっていない場合には、透光カバー取付板７が取付台１０の上部に当たり、浮いた感じとなるので、位置があっているかどうかの確認は容易である。
図２および図３によって、カバー部１の構成を説明する。透光カバー２を枠５の孔３に挿通し、透光カバー取付板７により、挟持固定する。透光カバー取付板７は枠５の取付台１７に止ねじ１２で締め付けられ、枠５の内面に載置される。取付けねじ８を枠５の取付けねじ用孔４と透光カバー取付板７の取付ねじ孔１３に挿通し、ゴムパッキン１４を取付けねじ８に装着し取付けねじ８の抜けを防止する。
枠５に透光カバー取付板７を固定している箇所の断面を図３に示す。透光カバー２は強度を上げるため、鍔部に垂直立ち上げ部１５を設け、垂直立ち上げ部１５を枠５と透光カバー取付台７で挟持固定する。枠５と透光カバー取付台７の間の高さＨは全周にわたって均一となる。このことから、図４に示すように、取付けねじ８を軸方向にのみ可動するように保持することができる。このため、取付けねじ８を本体部９の取付台１０に締め付ける際に取付台１０のねじ孔１６に位置が合わせ易くなる。
【０００７】
【発明の効果】
本発明によれば、取付けねじを落下させることなく取り付けが行え、位置合わせも容易に行える。また、取付けねじを軸方向のみに可動させることができ、取付けねじがぶれることなく、取付台のねじ孔に合わすことができる。さらに、このような機構を少ない部品で行えるので、組立て工数も少なくなる。
【図面の簡単な説明】
【図１】本発明に係る直付形照明器具の一部切欠き分解斜視図
【図２】カバー部の構成部品を示す分解斜視図
【図３】図２におけるカバー部の挟持固定部分を示す断面図
【図４】その取付けねじ部分の断面図
【図５】従来器具を示す分解斜視図
【図６】同従来器具の全体を示す斜視図
【符号の説明】
１：カバー部
２：透光カバー
３：孔
４：取付けねじ用孔
５：枠
６：切欠き
７：透光カバー取付板
８：取付けねじ
９：本体部
１０：取付台
１１：側壁
１３：取付けねじ孔
１５：垂直立ち上げ部
１６：ねじ孔
１７：取付台
１８：側壁
２５：光源
２６：点灯回路部品
【図１】
0003806944.tif 000002
【図２】
0003806944.tif 000003
【図３】
0003806944.tif 000004
【図４】
0003806944.tif 000005
【図５】
0003806944.tif 000006
【図６】
0003806944.tif 000007